(57)【要約】【課題】内装部材を外装カバーで被覆しても、該外装カバーに形成した開口部から内側へ砂や粉塵が侵入せずに内装部材を清潔に保つことができ、しかも、ペットの快適性や外観上の見栄えを良好に保つことのできるペット用クッションを提供することを目的とする。【解決手段】内装部材１４と該内装部材１４を被覆する袋状の外装カバー１５とで接地面に接地可能に形成した接地側クッション１２を備えたペット用クッション１１であって、上記内装部材１４を外側へ取り出し可能に内側へ収容する開口部２３を、上記外装カバー１５に備え、上記接地側クッション１２の上部に載置可能な載置側クッション１３を、上記外装カバー１５に収容した上記内装部材１４の上部に位置する上記開口部２３を隠蔽可能な大きさで備えたペット用クッション１１。【選択図】図３
2009183180.tif 000002
【特許請求の範囲】
【請求項１】
内装部材と該内装部材を被覆する袋状の外装カバーとで接地面に接地可能に形成した接地側クッションを備えたペット用クッションであって、
上記内装部材を外側へ取り出し可能に内側へ収容する開口部を、上記外装カバーに形成し、
上記接地側クッションの上部に載置可能な載置側クッションを、上記外装カバーに収容した上記内装部材の上部に位置する上記開口部を隠蔽可能な大きさで備えた
ペット用クッション。
【請求項２】
上記内装部材を、中央部に載置した上記載置側クッションを嵌合保持可能に外周側に対して凹状である凹底部を中央部に備えて構成し、
上記載置側クッションを、上記外装カバーに収容した上記内装部材の上記凹底部の上部に位置する開口部を隠蔽可能な大きさで形成した
請求項１に記載のペット用クッション。
【請求項３】
上記内装部材における上記凹底部の外周側部分に、上記載置側クッションよりも厚みが厚い外周側クッション部を備え、
上記内装部材を、外周側クッション部と上記凹底部とで一体に形成した
請求項２に記載のペット用クッション。
【請求項４】
上記内装部材を出し入れ可能な大きさよりも上記開口部を収縮状態に保つ収縮保持手段を、上記開口部の縁部に備えた
請求項１から請求項３のうちいずれか１項に記載のペット用クッション。
【請求項５】
上記外装カバーの接地面との接触部分に、滑止手段を備えた
請求項１から請求項４のうちいずれか１項に記載のペット用クッション。
【請求項６】
上記滑止手段を、上記外装カバーの接地面との上記接触部分に散点状に突出した複数の滑止突起により形成した
請求項５に記載のペット用クッション。
【発明の詳細な説明】
【技術分野】
【０００１】
この発明は、床面や地面に接地して例えば、ペット用のベッド、マットとして用いることのできるペット用クッションに関する。
【背景技術】
【０００２】
ペット用クッションは、犬や猫などのペットが使用するため、ダニやペットの毛が付着し易く、また、屋外の地面に直接、接地して用いることもあり、汚れ易い。
【０００３】
このため、ペット用クッションは、衛生上の観点からも洗濯できることが望ましいが、柔軟性を有した立体形状であるため、丸ごと洗濯した場合、水洗いやその後の乾燥に手間や時間を要する、或いは、綿などの内部繊維を傷めるといった課題を有する。
【０００４】
このような背景からペット用クッションには、クッション全体を被覆する外装カバーを備えたものが多い。このようなペット用クッションは、表面が汚れた場合、外装カバーのみを取り外して洗濯することにより、清潔に保つことができる。
【０００５】
ところで、このような外装カバーを備えたペット用クッションは、外装カバーを内装部材に対して上方から覆うように被せた被覆形態のもの、すなわち、外装カバーを内装部材に被覆したとき、外装カバーの開口部が内装部材の下側に位置する被覆形態となるものが多く知られている。
【０００６】
例えば、特許文献１において開示された「愛玩動物の寝床」もその１つである。  
上記「愛玩動物の寝床」は、分離可能な床板と側壁から成り、床板と側壁とは、それぞれの芯板を着脱自在のカバーで覆った被覆形態で形成している。
【０００７】
側壁の芯板をカバーに対して出し入れする開口部は、該カバーを側壁に被覆したとき、側壁の下端外周部に相当する部分に沿って形成している。
【０００８】
上記構成により、上記愛玩動物の寝床は、地面に接地したとき、開口部や該開口部を開閉するファスナが外観上、視認されないため、見栄えを良好に保つことができるとともに、ペットにファスナが接触することがないため、ペットの快適性を損なうこともない。
【０００９】
しかし、開口部やファスナが寝床の底面に位置する場合、ファスナの隙間から内側へ砂などが入り込み易くなるとともに、ファスナにより床面を傷つけてしまうといった課題を有する。
【００１０】
【特許文献１】特開２００３−１８９３１号公報
【発明の開示】
【発明が解決しようとする課題】
【００１１】
そこでこの発明は、内装部材を外装カバーで被覆しても、該外装カバーに形成した開口部から内側へ砂や粉塵が侵入せずに内装部材を清潔に保つことができ、しかも、ペットの快適性や外観上の見栄えを良好に保つことのできるペット用クッションを提供することを目的とする。
【課題を解決するための手段】
【００１２】
本発明のペット用クッションは、内装部材と該内装部材を被覆する袋状の外装カバーとで接地面に接地可能に形成した接地側クッションを備えたペット用クッションであって、上記内装部材を外側へ取り出し可能に内側へ収容する開口部を、上記外装カバーに形成し、上記接地側クッションの上部に載置可能な載置側クッションを、上記外装カバーに収容した上記内装部材の上部に位置する上記開口部を隠蔽可能な大きさで備えたことを特徴とする。
【００１３】
上記構成により、ペット用クッションは、内装部材をその上部に開口部が位置するよう外装部材で被覆して接地側クッションを構成し、さらに、開口部の上方から載置側クッションを載置すれば、該載置側クッションにより開口部を隠蔽することができる。
【００１４】
このため、ペット用クッションは、載置側クッションにより例えば、ゴミやペットの毛が開口部を通じて外装カバーの内側へ入り込むことを防ぐことができる。
【００１５】
さらに、ペットが開口部や、該開口部に適宜、備えたファスナ等の開口部を閉塞する部材に直接、触れることがないため、不用意に開口部を開いてしまうことや、ファスナによりペットの快適性を損なうことを阻止することができる。さらにまた、載置側クッションにより、開口部の周縁に有する弛緩した生地を隠蔽することもできるため、外観上の見栄えを良好に保つこともできる。
【００１６】
なお、上記接地面とは、例えば、屋内の床面や絨毯を敷いた面、或いは、屋外の地面など、ペット用クッションの接地対象となる面であれば、特に限定しない。
【００１７】
この発明の態様として、上記内装部材を、中央部に載置した上記載置側クッションを嵌合保持可能に外周側に対して凹状である凹底部を中央部に備えて構成し、上記載置側クッションを、上記外装カバーに収容した上記内装部材の上記凹底部の上部に位置する開口部を隠蔽可能な大きさで形成することができる。
【００１８】
上記構成により、載置側クッションを接地側クッションに対して嵌合保持することができるため、例えば、載置側クッションは、載上したペットが動くなどしても、不測に動くことなく、しっかりと凹底部に位置する開口部の隠蔽状態を維持することができる。
【００１９】
また、この発明の態様として、上記内装部材における上記凹底部の外周側部分に、上記載置側クッションよりも厚みが厚い外周側クッション部を備え、上記内装部材を、外周側クッション部と上記凹底部とで一体に形成することができる。
【００２０】
上記構成により、接地側クッションは、上記凹底部に載置側クッションを接地したとき、外周側クッション部が載置側クッションの外周側で上方へ突き出した形態となる。このため、載置側クッションに載上したペットを、外周側クッション部により外周側から保護すことができる。
【００２１】
さらに、接地側クッションは、上記内装部材を、外周側クッション部と上記凹底部とで一体に形成しているため、外周側クッション部のみで形成するよりも、一体性（形態保持性）を向上させることができる。すなわち、例えば、ペットが動くなどして外周側クッション部に負荷がかかっても、外装カバーの内部で内装部材自体が型崩れすることを阻止することができる。さらに、内装部材が型崩れし難くなることで外装カバーに負荷がかかり難くなり、結果的に外装カバーが破れてしまうことを阻止することができる。
【００２２】
また、この発明の態様として、上記内装部材を出し入れ可能な大きさよりも上記開口部を収縮状態に保つ収縮保持手段を、上記開口部の縁部に備えることができる。
【００２３】
上記構成により、内装部材を外装カバーに対して開口部を通じて容易に出し入れすることができる。収縮保持手段により開口部は収縮するため、上記内装部材を外装カバーによって、その内部にしっかりと収容して被覆しておくことができる。
【００２４】
ここで、上記収縮保持手段は、例えば、スライドファスナ、面ファスナ、ホック、ボタン、スナップ、或いは、開口部の縁部（開口縁部）に沿って備えたゴム紐（ゴムバンド、ゴムベルト）などを含む。
【００２５】
なお、上記収縮保持手段は、開口部を完全に閉塞する態にまで収縮保持する手段に限らず、上記内装部材を出し入れ可能な大きさよりも収縮した状態に保持する手段も含む。
【００２６】
また、この発明の態様として、上記外装カバーの接地面との接触部分に、滑止手段を備えることができる。
【００２７】
上記滑止手段により、接地側クッションを、接地面に対して滑らないよう接地することができる。
【００２８】
上記滑止手段は、上記外装カバーの接地面との接触部分の少なくとも一部に、例えば、ゴム、シリコン、耐摩耗性合成樹脂などの材料で形成することができる。  
なお、耐摩耗性合成樹脂とは、例えば、塩化ビニール、ナイロン、ＡＢＳ、ポリプロピレン、ポリエチレンを示す。
【００２９】
さらに、この発明の態様として、上記滑止手段を、上記外装カバーの接地面との上記接触部分に散点状に突出した複数の滑止突起により形成することができる。
【００３０】
上記構成により、上記外装カバーは、接地面との接触部分の生地に対して複数の上記滑止突起が突出した形態で接地面に接触するため、優れた滑り止め効果を得ることができる。
【００３１】
さらに、上記滑止手段を、複数の上記滑止突起を上記接触部分に散点状に形成しているため、上記滑止手段を備えることによっても上記外装カバーが嵩張ることがないため、洗濯の際に邪魔になることがなく、容易に洗濯することができる。
【発明の効果】
【００３２】
本発明は、内装部材を外装カバーで被覆しても、該外装カバーに形成した開口部から内側へ砂や粉塵が侵入せずに内装部材を清潔に保つことができ、しかも、ペットの快適性や外観上の見栄えを良好に保つことのできるペット用クッションを提供することができる。
【発明を実施するための最良の形態】
【００３３】
この発明のペット用クッション１１の一実施形態を以下図面を用いて説明する。  
本実施形態のペット用クッション１１は、図１から図３に示すように形成している。  
図１は、上記ペット用クッション１１の外観図であり、図２は、図１のＡ−Ａ矢視断面図、図３は、上記ペット用クッション１１の構成説明図である。  
ペット用クッション１１は、主に接地側クッション１２と載置側クッション１３との２部材で構成している。  
接地側クッション１２は、図４に示すように、床面などの接地面に接地可能な凹状のベッド型形状とした接地側内装部材１４と、該接地側内装部材１４を被覆する接地側外装カバー１５とで形成している。  
なお、図４は、接地側クッション１２の構成説明図である。
【００３４】
接地側内装部材１４は、中央部に凹底部１６を備えるとともに、その外周側に外周側クッション部１７を備えている。上記凹底部１６は、上記載置側クッション１３を載置可能な大きさで形成し、外周側クッション部１７は、上記凹底部１６に載置した上記載置側クッション１３を外周側から嵌合保持可能に形成している。
【００３５】
詳しくは、上記接地側内装部材１４は、大よそ平面視すると、短手方向長さ（奥行き長さ）が３５０ｍｍ、長手方向長さ（幅）が５５０ｍｍの横長をした矩形に形成するとともに、外周側クッション部１７の高さ（上下方向の厚み）を１５０ｍｍで形成している。  
さらに、上記凹底部１６は、大よそ平面視すると、短手方向長さ（奥行き長さ）が２５０ｍｍ、長手方向長さ（幅）が４００ｍｍの横長をしたシート状部材で形成している。
【００３６】
外周側クッション部１７は、上記載置側クッション１３よりも上下方向の厚みが厚くなるよう、内部に綿１７ａを充填した綿カバー１７ｂにより被覆して枕状に形成し、凹底部１６の外周縁部に縫着することにより一体に形成している（図２の要部拡大図Ｘ参照）。
【００３７】
上記載置側クッション１３の正面側部分に有する外周側クッション部１７は、その長さ方向の中間部分を、ペットが出入り可能な長さで上端部を切り欠いた凹状形態に形成し、当該中間部分にペット出入り部２２を備えている。
【００３８】
また、接地側外装カバー１５は、接地側内装部材１４を被覆したとき、該接地側内装部材１４の上側部分、側方部分（外周側部分）、凹底部１６（底面部分）をそれぞれ被覆する上面布１５ａ、側面布１５ｂ、及び、凹底被覆布１５ｃ（底面布）を備え、これら上面布１５ａ、側面布１５ｂ、及び、凹底被覆布１５ｃを縫着により袋状に形成している。  
なお、上面布１５ａ、側面布１５ｂは、数枚の布地を適宜、縫着して形成し、凹底被覆布１５ｃは、１枚の布地により形成している。
【００３９】
上面布１５ａの中央部には、図３、及び、図４に示すように、載置側クッション１３を接地側外装カバー１５に対して出し入れ可能な大きさを有した開口部２３を備えている。
【００４０】
さらに、開口部２３の開口縁部２３ａには、ゴムバンド２４を備え（図２要部拡大図Ｙ参照）、該ゴムバンド２４は、収縮方向へ付勢した状態で上記開口縁部２３ａに沿って配している。
【００４１】
このゴムバンド２４の収縮方向への付勢力により開口部２３（開口縁部２３ａ）を常時、収縮させておくことができる。
【００４２】
上記上面布１５ａを、接地側内装部材１４の凹状形態をした上面側で被覆したとき、当該上面布１５ａは、外周側クッション部１７の上部から内周面に沿って凹底部１６側へ垂下した被覆形態となり、開口部２３が凹底部１６の上部の略中央に位置することになる（図３参照）。
【００４３】
また、上記側面布１５ｂは、接地側内装部材１４の側面を被覆したとき、外周側クッション部１７の外周側で密着するよう外周側クッション部１７の高さと略同じ幅で形成している。  
そして、側面布１５ｂと上面布１５ａとの接合部分には、接地側内装部材１４の上部に相当する外周に沿ってパイピング芯２５やステッチなどを適宜、配している。
【００４４】
また、上記凹底被覆布１５ｃは、凹底部１６の平面視形状と略同じ形状、大きさで形成している。  
さらに、凹底被覆布１５ｃの接地面との接触面側、すなわち、凹底被覆布１５ｃの表面側の全体には、図２、及び、図５（ａ），（ｂ）に示すように、複数の滑止突起３２…を散点状に形成している。  
なお、図５（ａ），（ｂ）は、凹底被覆布１５ｃのそれぞれ断面図、接地面側から視た正面図である。
【００４５】
滑止突起３２は、耐摩耗性合成樹脂材料を凹底被覆布１５ｃの生地に対して点状に突出した形態で溶着することにより形成している。
【００４６】
続いて、上記載置側クッション１３について図６を用いて説明する。  
なお、図６（ａ），（ｂ）は、載置側クッション１３の各構成部材の説明図、一方の側の面から視た外観図である。
【００４７】
上記載置側クッション１３は、上記凹底部１６に載置可能であるとともに、横臥した犬や猫などのペットが敷上可能な大きさの平面視矩形をした平板状に形成した載置側内装部材２６と、該載置側内装部材２６を被覆可能な載置側外装カバー２７とで形成している。
【００４８】
載置側内装部材２６は、上記凹底部１６に載置したとき、外周側クッション部１７により嵌合保持可能に上記凹底部１６の平面視サイズと同じ、或いは、一回り大きく形成している。
【００４９】
詳しくは、本実施形態の載置側クッション１３は、上述した平板状のウレタン部材を綿カバーにより被覆して一体に形成し、平面視すると、大まかに短手方向長さ（奥行き長さ）が２６０ｍｍ、長手方向長さ（幅）が４１０ｍｍとして上記凹底部１６の平面形状よりも一回り大きく形成している。なお、載置側クッション１３の厚みは、例えば、３０ｍｍで形成している。
【００５０】
上記載置側内装部材２６は、一方の側の面に幅方向中間部分に長さ方向に沿って、載置側クッション１３を出し入れ可能なスリット状開口部２８を形成している。
【００５１】
本実施形態のペット用クッション１１は、上述した形態で形成し、該ペット用クッション１１の上述した各構成部材を、図１に示すような使用可能な形態にする手順について説明する。
【００５２】
まず、接地側内装部材１４を、接地側外装カバー１５に被覆する。  
接地側外装カバー１５の開口縁部２３ａに備えたゴムバンド２４を、その付勢力に抗して伸張させ、開口部２３を開ける（図４参照）。この状態で、接地側内装部材１４を接地側外装カバー１５の内部に収容する。ゴムバンド２４の付勢力に抗する力を解除すれば、開口部２３（開口部縁部２３ａ）は、ゴムバンド２４の付勢力により収縮するため、上面布１５ａは、図７に示すように、開口縁部２３ａから外周側へ進むに従って末広がり状の形態となる。  
なお、図７は、接地側内装部材１４を接地側外装カバー１５により被覆する過程を示す説明図である。
【００５３】
上面布１５ａは、開口部２３が凹底部１６に位置するように、凹底部１６の上部に達するまで外周側クッション部１７の上部から内周部に沿って緩やかに垂下した被覆形態となる（図３参照）。
【００５４】
さらに、載置側内装部材２６を載置側外装カバー２７にスリット状開口部２８を通じて収容して載置側クッション１３を構成し（図６参照）、スリット状開口部２８を形成した一方の面側が下面側になるよう凹底部１６に載置する（図３参照）。これにより、図１に示したように、載置側クッション１３を接地側クッション１２に嵌合した状態で凹底部１６に載置することができる。
【００５５】
本実施形態のペット用クッション１１は、以下のような作用、効果を奏することができる。  
ペット用クッション１１がペットの毛や砂埃などで汚れた場合、接地側クッション１２については、接地側外装カバー１５を接地側内装部材１４から取り外し、載置側クッション１３については、載置側外装カバー２７を載置側内装部材２６から取り外して、接地側外装カバー１５、載置側外装カバー２７のそれぞれを洗濯することができる。  
従って、ペット用クッション１１は、清潔な状態に容易に保つことができる。
【００５６】
また、上述したように載置側クッション１３について、接地側外装カバー１５は、接地側内装部材１４に対してその上面側、すなわち、凹底部１６の上部に開口部２３が位置する被覆形態である。
【００５７】
このため、ペット用クッション１１は、従来のペット用クッションように、外装カバーを内装部材の上から覆い被せて開口部がペット用クッションの底面側に位置するような被覆形態とは異なる被覆形態となる。  
このため、例えば、開口部２３の隙間から内側へ砂などが入り込み難く、また、例えば、ファスナなどの開口部閉塞部材により床面を傷つけてしまうといった事態を防ぐことができる。
【００５８】
しかも、ペット用クッション１１は、載置側クッション１３を接地側クッション１２の凹底部１６に載置したとき、該凹底部１６の上部に位置する開口部２３を載置側クッション１３により隠蔽することができる。
【００５９】
このため、外観上の見栄えを良好に保つことのできる。  
さらに、直接、開口部２３や開口縁部２３ａの上にペットが載上しないため、開口部２３から内側へペットの毛が侵入することを阻止することができるとともに、ペットの快適性も良好に保つことのできる。
【００６０】
加えて、ペットがいたずらして、不測に開口部２３を開いたり、ゴムバンド２４を破損してしまうことを防止することができ、接地側内装部材１４は、接地側外装カバー１５によりしっかりと被覆した状態を保つことができる。
【００６１】
また、上記接地側内装部材１４は、中央部に凹底部１６を備えるとともに、上記凹底部１６の外周側部分に、外周側クッション部１７を備えた形態で形成している。
【００６２】
上記形態により、凹底部１６に載置した載置側クッション１３を、外周側クッション部１７により外周側から嵌合保持することができるため、例えば、載置側クッション１３は、ペットが動くなどしても、凹底部１６の上部に位置する開口部２３を隠蔽した状態に保つことができる。
【００６３】
また、ペット用クッション１１は、開口部２３を、ゴムバンド２４により収縮方向に付勢して形成しているため、開口部２３の開操作の際は、容易に手で容易に開けることができる。さらに、開口部２３の閉操作の際には、手を離せば、ゴムバンド２４の付勢力により容易に収縮させることができ、収縮状態に保つことができる。
【００６４】
また、上記接地側内装部材１４は、外周側クッション部１７と上記凹底部１６とで一体に形成しているため（図２要部拡大図Ｘ参照）、該接地側内装部材１４を、外周側クッション部１７のみで形成するよりも、全体の一体性（形状保持性）が向上し、例えば、載置側クッション１３に載上したペットが動いたり凭れるなどして外周側クッション部１７に負荷がかかっても、接地側外装カバー１５の内部で接地側内装部材１４自体が型崩れしたり、接地側外装カバー１５が破れてしまうことを阻止できる。
【００６５】
その他にも、凹底部１６を備えることにより、例えば、凹底部１６を吸水性の低い生地、或いは、撥水加工を施して形成すれば、ペット用クッション１１を、濡れた地面に接地して使用する場合でも、凹底部１６に水分が吸収されないため、凹底部１６の上部に位置する載置側クッション１３部材が濡れてしまうことを阻止することができる。
【００６６】
また、凹底被覆布１５ｃの表面側に、散点状に突出した複数の滑止突起３２を備えることにより、複数の滑止突起３２のそれぞれが接地面に突出した状態で接触するため、優れた滑り止め効果を得ることができる。
【００６７】
このように、凹底被覆布１５ｃに複数の上記滑止突起３２を備えても、散点状に配しているため、該凹底被覆布１５ｃの生地本来の柔軟性を保つことができるため、上記滑止突起３２が邪魔になることなく、接地側外装カバー１５を洗濯することができる。
【００６８】
また、上述した実施形態と、この発明の構成との対応において、この実施形態の接地側内装部材１４は、この発明の内装部材に対応し、以下同様に、
接地側外装カバー１５は、外装カバーに対応し、
開口縁部２３ａは、開口部の縁部に対応し、
凹底被覆布１５ｃは、上記外装カバーの接地面との接触部分に対応し、
ゴムバンド２４は、収縮保持手段に対応するも、
この発明は、上述の実施形態の構成のみに限定されるものではなく、多くの実施の形態を得ることができる。
【図面の簡単な説明】
【００６９】
【図１】本実施形態のペット用クッションの外観図。
【図２】図１におけるＡ−Ａ矢視断面図。
【図３】本実施形態のペット用クッションの構成説明図。
【図４】本実施形態の接地側クッションの構成説明図。
【図５】本実施形態の凹底被覆布の一部分の断面図（ａ）、及び、正面図（ｂ）。
【図６】本実施形態の載置側クッションの構成説明図。
【図７】本実施形態の接地側クッションの構成、及び、作用の説明図。
【符号の説明】
【００７０】
１１…ペット用クッション
１２…接地側クッション
１３…載置側クッション
１４…接地側内装部材
１５…接地側外装カバー
１６…凹底部
１７…外周側クッション部
１５ｃ…凹底被覆布
２３…開口部
２３ａ…開口縁部
２４…ゴムバンド
３２…滑止突起
【図１】
2009183180.tif 000003
【図２】
2009183180.tif 000004
【図３】
2009183180.tif 000005
【図４】
2009183180.tif 000006
【図５】
2009183180.tif 000007
【図６】
2009183180.tif 000008
【図７】
2009183180.tif 000009